(57)【要約】【課題】アクセサリーの携帯性と光学性能およびズーム動作の保証を満足させるものとする。【解決手段】動かすことが可能な光学系を有する鏡筒と、鏡筒が取り付けられるカメラ本体から成るカメラにおいて、鏡筒の先端側に光学拡張機能をもつ種々のアクセサリー６７を取り付け可能にする複数のアクセサリー取付部３６ａ，５６ａを有し、一つのアクセサリー取付部は、光学系とともに動く鏡筒内の第１の筒部材２４，３１に設けられ、他のアクセサリー取付部は、光学系が動く場合においてもカメラ本体に対し動かない鏡筒内の第２の筒部材５５，５６の被写体側先端部に設けられる構造にする。【選択図】        図６
2005017981.tif 000002
【特許請求の範囲】
【請求項１】
動かすことが可能な光学系を有する鏡筒と、該鏡筒が取り付けられるカメラ本体から成るカメラにおいて、
前記鏡筒の先端側に光学拡張機能をもつ種々のアクセサリーを取り付け可能にする複数のアクセサリー取付部を有し、
前記一つのアクセサリー取付部は、前記光学系とともに動く前記鏡筒内の第１の筒部材に設けられ、前記他のアクセサリー取付部は、前記光学系が動く場合においても前記カメラ本体に対し動かない前記鏡筒内の第２の筒部材の被写体側先端部に設けられることを特徴とするカメラ。
【請求項２】
前記光学系は、電動駆動手段により前記カメラ本体に対して相対的に移動させられることを特徴とする請求項１に記載のカメラ。
【請求項３】
前記第１の筒部材に設けられる可動側のアクセサリー取付部には、前記第２の筒部材に設けられる非可動側のアクセサリー取付部に取り付けられる前記アクセサリーよりも、その重量が軽いものが取り付けられることを特徴とする請求項１又は２に記載のカメラ。
【請求項４】
前記第１の筒部材に設けられる可動側のアクセサリー取付部には、前記光学系が移動する際にその移動に支障を与えることのないアクセサリーを取り付け可能にし、前記第２の筒部材に設けられる非可動側のアクセサリー取付部には、前記光学系が移動する際にその移動に影響を与える虞のあるアクセサリーを取り付け可能にすることを特徴とする請求項１又は２に記載のカメラ。
【請求項５】
前記第１の筒部材に設けられる可動側のアクセサリー取付部には、前記光学系が移動しても光学性能に影響を与えることのないアクセサリーを取り付け可能にし、前記第２の筒部材に設けられる非可動側のアクセサリー取付部には、前記光学系が移動すると光学性能に影響を与える虞のあるアクセサリーを取り付け可能にすることを特徴とする請求項１又は２に記載のカメラ。
【請求項６】
前記可動側のアクセサリー取付部は、取り付けられるアクセサリーの撮影光軸周りの回転位相の規制を行える構造になっていることを特徴とするカメラ。
【発明の詳細な説明】
【０００１】
【発明の属する技術分野】
本発明は、動かすことが可能な光学系を有する鏡筒と、該鏡筒が取り付けられるカメラ本体から成るカメラの改良に関するものである。
【０００２】
【従来の技術】
従来のレンズ交換の出来ないカメラでは、撮影レンズ先端にテレコンバータやフード、フィルタなどのアクセサリーを取り付けることで、撮影レンズの機能の拡張が行われている。
【０００３】
交換レンズなどの手動ズームの場合、特許文献１に開示されているように、アクセサリー取付部は前玉レンズを支持する鏡筒に設けられている。この方式では、フォーカスやズームで鏡筒の先端位置が移動してもアクセサリーと撮影レンズ先端の間隔が変化しないので、例えばフードを取り付けた場合にレンズとフードの距離変動によって発生するケラレが無く、有効光束の近傍まで有害光をカットすることができる。
【０００４】
一方、電動ズーム機能を備えた鏡筒の場合、前玉レンズを支持する鏡筒にコンバータレンズのような重いアクセサリーが取り付けられると、コンバータレンズの重さでズームの制御に問題が起きる場合や、コンバータレンズの重量による光学系の倒れ、更には偏芯によって光学性能が劣化する場合があった。この点、特許文献２に開示されているように、ズームで動かない部分にアクセサリー取付部を設けたものにおいては上記のような問題を解消できる。
【０００５】
【特許文献１】
特開平０７−１５９８５８号公報
【特許文献２】
特開２０００−３３０１７９号公報
【０００６】
【発明が解決しようとする課題】
しかしながら、上記特許文献２のようにズームで動かない部分にアクセサリー取付部を設けたものにおいては、前述のようにレンズとアクセサリーの距離変動によって発生するケラレが発生してしまう。例えばワイド（広角）では鏡筒の全長が短く、テレ（望遠）で全長が長くなるズームレンズ鏡筒にフィルタを取り付けた場合、テレ状態の鏡筒にぶつからない位置にワイドの画角をケラない（ケラレを生じない）フィルタを付ける必要がある。しかしこの場合のフィルタは相当大きい径のものになってしまい、実用的ではない。
【０００７】
同様に、ワイドでは鏡筒の全長が短く、テレで全長が長くなるズームレンズ鏡筒にフードを取り付けた場合、ワイドの広い画角をケラないラッパ状のフードでテレ状態の伸びた鏡筒の有害光を遮るために、ラッパ状の相当長いフードが必要となり、携帯性を損なってしまう。
【０００８】
（発明の目的）
本発明の目的は、アクセサリーの携帯性と光学性能およびズーム動作の保証を満足させることのできるカメラを提供しようとするものである。
【０００９】
【課題を解決するための手段】
上記目的を達成するために、本発明は、動かすことが可能な光学系を有する鏡筒と、該鏡筒が取り付けられるカメラ本体から成るカメラにおいて、前記鏡筒の先端側に光学拡張機能をもつ種々のアクセサリーを取り付け可能にする複数のアクセサリー取付部を有し、前記一つのアクセサリー取付部は、前記光学系とともに動く前記鏡筒内の第１の筒部材に設けられ、前記他のアクセサリー取付部は、前記光学系が動く場合においても前記カメラ本体に対し動かない前記鏡筒内の第２の筒部材の被写体側先端部に設けられるカメラとするものである。
【００１０】
【発明の実施の形態】
以下、本発明を図示の実施の形態に基づいて詳細に説明する。
【００１１】
図１〜図２５は本発明の実施の一形態に係る図であり、詳しくは、図１はワイド状態の鏡筒先端にフードが取り付けられたカメラと該カメラに取り付け可能な各種のアクセサリーの外観を示した斜視図であり、一点鎖線でアクセサリーが取り付けられる位置を示している。また、図２はコンバータが取り付けられたワイド状態の鏡筒を前方左下から見た分解斜視図、図３はワイド状態の鏡筒を前方左下から見た斜視図、図４はワイド状態の鏡筒を後方左下から見た斜視図、図５はワイド状態の鏡筒の中央縦断面図、図６はコンバータが取り付けられたワイド状態の鏡筒の中央縦断面図、図７はＣＣＤホルダとズーム駆動機構を前方左下から見た分解斜視図、図８はＣＣＤホルダとズーム駆動機構を前方左上から見た斜視図、図９は内固定筒を前方左下から見た斜視図、図１０は内固定筒を後方左から見た斜視図、図１１はカム筒を前方左下から見た斜視図、図１２はカム筒と全体群カムピン、全体群補助ピン、全体群耐衝撃ピンの組み込み状態を示す断面図、図１３は１群鏡筒と１群レンズホルダ、１群レンズ、１群バヨネットリングを前方左下から見た分解斜視図、図１４は１群鏡筒と１群レンズホルダ、１群レンズ、１群バヨネットリング、１群調整ビスの組み込み状態を示す断面図、図１５は１群鏡筒と１群バヨネットリングにフードが取り付けられた状態を示す断面図、図１６は１群鏡筒と１群バヨネットリングにフィルタとフィルタアダプタが取り付けられた状態を示す断面図、図１７は２群鏡筒を前方左下から見た分解斜視図、図１８は３群鏡筒とＳＨ（シャッタ）ユニットを前方左下から見た分解斜視図、図１９は４群鏡筒の前方左下から見た分解斜視図、図２０は４群鏡筒を前方左下から見たより詳しい分解斜視図、図２１は外固定筒と外固定筒バヨネットナット、外固定筒バヨネットビスを前方左下から見た分解斜視図、図２２は外固定筒バヨネットキーと外固定筒バヨネットボタン、外固定筒バヨネットリング、外固定筒バヨネットロック部材、操作環を前方左下から見た分解斜視図、図２３は図２２の外固定筒バヨネットリングを示す拡大図、図２４は外固定筒バヨネットカバーと外固定筒バヨネットカバーキャップを前方左下から見た斜視図、図２５はコンバータとアダプタ筒の後方左から見た斜視図である。
【００１２】
以下、各図に示される構成部品について説明する。
【００１３】
図５において、Ｌ１は１群レンズ、Ｌ２は２群レンズ、Ｌ３は３群レンズ、Ｌ４は４群レンズ、Ｌ５はローパスフィルタである。
【００１４】
また、図２、図４、図５、図７および図８において、１はＣＣＤ、２はＣＣＤプレート、３はＣＣＤホルダ、４はＣＣＤフレキシブル基板、５はメイン基板、６はズームモータ、７は光学フレキシブル基板、８はモータカバー、９はギア列、１０はギアカバー、１１はスリップ、１２は最終段ギア、１３はポテンションメータ、１４はポテンションギア、１５はパルス板、１６はエンコーダカバー、１７はエンコーダフォトインタラプタ、１８はリセットフォトインタラプタである。
【００１５】
また、図９および図１０において、１９は内固定筒（図２も参照）、１９ａは全体群カム溝、１９ｂは全体群補助ピンカム溝、１９ｃは全体群耐衝撃カム溝、１９ｄは２，３，４群直進溝、１９ｅは２，３，４群ピン穴、１９ｆは２，３，４群ピン抜け止め壁である。
【００１６】
また、図５、図１１および図１２において、２０はカム筒（図２も参照）、２０ａはカム筒のギア部、２０ｂは１群カム溝、２０ｃは１群補助ピン溝、２０ｄは１群ヘリコイド溝、２０ｅは２群カム溝、２０ｆは３群カム溝、２０ｇは４群カム溝である。２１ａは全体群カムピン、２１ｂは全体群補助ピン、２２は全体群耐衝撃ピン、２３は全体群耐衝撃ナットである。
【００１７】
また、図５、図１３、図１４、図１５および図１６において、２４は１群鏡筒（図２も参照）、２４ａは１群ヘリコイド、２４ｂはリセット板部、２４ｃは１群ホルダ当接部、２４ｄは１群ホルダ保持部、２４ｅは１群調節ビス穴、２４ｆは１群バヨネットナット穴、２４ｇは１群鏡筒バヨネットビス嵌合穴である。２５は１群カムピン２６は１群補助ピンである。２７は１群レンズホルダ（図２も参照）、２７ａは１群レンズホルダ基準面、２７ｂは１群ホルダバヨネット腕部、２７ｃは１群レンズホルダ斜面部である。２８は１群調整ビス、２９は１群コロ、３０は１群コロピンである。３１は１群バヨネットリング（図２も参照）、３１ａは１群アクセサリー取付部、３１ｂは１群バヨネットリングビス嵌合穴、３２は１群バヨネットビス、３３は１群バヨネットナットである。
【００１８】
また、図５および図１７において、３４は２群鏡筒（図２も参照）、３４ａは２群ピン抜け止めキー、３５は２群カムピン、３６は２群コロ、３７は２群コロピンである。
【００１９】
また、図５および図１８において、３８は３群鏡筒（図２も参照）、３８ａは３群ピン抜け止めキー、３９は３群カムピン、４０は３群コロ、４１は３群コロピン、４２はＳＨユニット（図２も参照）、４３はＳＨユニットフレキシブル基板である。
【００２０】
また、図５、図１９および図２０において、４４は４群鏡筒（図２も参照）、４４ａは４群ピン抜け止めキー、４５は４群カムピン、４６は４群コロ、４７は４群コロピン、４８は４群レンズホルダ（図２も参照）、４８ａは４群嵌合スリーブ部、４９は４群駆動モータ、５０は４群駆動ギア列、５１は４群駆動スクリュー、５２は４群駆動ナット、５３は４群嵌合バー、５４は４群フレキシブル基板である。
【００２１】
また、図４、図５、図６、図２１、図２２および図２４において、５５は外固定筒（図２も参照）、５５ａは１群直進キー溝、５５ｂは外固定筒バヨネットナット穴、５５ｃは外固定筒バヨネットビス嵌合穴、５５ｄは外固定筒バヨネットキー溝、５５ｆはカメラ本体取付部、５５ｇは最終段ギア軸嵌合穴（不図示）、５５ｈはスリップ嵌合穴（不図示）である。５６は外固定筒バヨネットリング（図２も参照）、５６ａは外固定筒アクセサリー取付部、５６ｂは外固定筒バヨネットリング取付けビス穴、５７は外固定筒バヨネットナット、５８は外固定筒バヨネットビスである。
【００２２】
また、図６、図２１、図２２および図２４において、５９は外固定筒バヨネットキー、６０は外固定筒バヨネットボタン、６１は外固定筒バヨネットロック部材、６２は外固定筒バヨネットバネ、６３は操作環（図２も参照）、６４は操作環エンコーダ、６５は外固定筒バヨネットカバー（図２も参照）、６５ａは前述の外固定筒バヨネットロック部材６１が係合する外固定筒バヨネットカバーキー溝、６６は外固定筒バヨネットカバーキャップ（図２も参照）である。
【００２３】
また、図６および図２５において、６７はコンバータ、６８はアダプタ筒、６８ａは前述の外固定筒バヨネットロック部材６１が係合するアダプタ筒キー溝である。
【００２４】
また、図１、図１５および図１６において、６９はカメラ本体、７０はカメラ外装、７０ａはカメラ外装７０の鏡筒取付け穴、７０ｂは外固定筒バヨネットボタン穴、７１はフード、７２はフィルタ、７３はフィルタアダプタである。前記フード７１は、ワイドの有効光線をケラないように被写体側端部の対角に合わせて切り欠いた花形フードである。
【００２５】
また、図２において、７４は４群ギア地板、７４は４群ギアカバーである。
【００２６】
次に、上記構成の鏡筒において、各部品の関係について説明する。
【００２７】
図５に示すように、１群レンズＬ１、２群レンズＬ２、３群レンズＬ３、４群レンズＬ４、ローパスフィルタＬ５を適宜配置することで撮影光学系が構成され、該撮影光学系によりＣＣＤ１の結像面に被写体像が投影される。
【００２８】
ＣＣＤ１は、図４および図５に示すように、ＣＣＤプレート２に接着され、このＣＣＤプレート２を介してＣＣＤホルダ３に固定される。また、ＣＣＤ１はＣＣＤフレキシブル基板４を介してメイン基板５に電気的に接続され、１群レンズＬ１からローパスフィルタＬ５までによって結像面に投影される被写体像を電気信号に変換し、公知のデジタルカメラシステムを構成する。
【００２９】
図２、図３、図４、図７および図８において、ズームモータ６はＣＣＤホルダ３に固定される。モータカバー８はズームモータ６に取り付けられ、ズームモータ６への異物の進入を防いでいる。ギア列９はＣＣＤホルダ３とギアカバー１０、内固定筒１９に自転可能に保持される。スリップ１１はＣＣＤホルダ３と外固定筒５５の不図示のスリップ嵌合穴５５ｈに回転可能に支持され、最終段ギア１２はＣＣＤホルダ３と外固定筒５５の不図示の最終段ギア軸嵌合穴５５ｇに同じく回転可能に支持される。ギア列９に入力されたズームモータ７の回転は減速され、スリップ１１を介して最終段ギア１２に伝えられる。
【００３０】
ポテンションメータ１３はポテンションギア１４によって最終段ギア１２の回転を検出する。パルス板１５はギア列９の前段に取り付けられ、ズームモータ６の回転に同期して回転する。このパルス板１５はエンコーダカバー１６によって物理的外乱から保護され、ギア列９のギアの１つと一体的に自転するように取り付けられている。パルス板１５の回転はエンコーダフォトインタラプタ１７で検出される。フォトインタラプタ１８はＣＣＤホルダ３に取り付けられており、１群鏡筒２４の撮影光学系光軸方向の進退によって図１３のリセット板部２４ｂの端面が該リセットフォトインタラプタ１８の遮光と透光状態を切り換えたことを検出する。
【００３１】
上記のズームモータ６とポテンションメータ１３、エンコーダフォトインタラプタ１７、リセットフォトインタラプタ１８は、光学フレキシブル基板７を介してメイン基板５に結線され、ズーム駆動機構の電気回路を構成する。
【００３２】
図２、図５、図９、図１０、図１１および図１２において、内固定筒１９は、ＣＣＤホルダ３と外固定筒５５にビスによる共締めで固定される。また、内固定筒１９の外周には全体群カム溝１９ａ、全体群補助ピンカム溝１９ｂ、全体群耐衝撃溝１９ｃが１２０度等分にそれぞれ３箇所設けられ、全体群カム溝１９ａにはカム筒２０に取り付けられる全体群カムピン２１ａが嵌合し、全体群補助ピンカム溝１９ｂには全体群補助ピン２１ｂが、全体群耐衝撃溝１９ｃには全体群耐衝撃ピンが、それぞれ通常はピンの円筒もしくは円錐面が溝のフランク面に接触することなく溝を通過するように配置されている。内固定筒１９の円筒部内周には、２，３，４群直進溝１９ｄと円筒部を貫通する２，３，４群ピン穴１９ｅが、円筒部の外周には２，３，４群ピン抜け止め壁１９ｆが、１２０度等分にそれぞれ３箇所設けられている。
【００３３】
図５、図１１、図１２および図１４において、カム筒２０の外周には、１群カム溝２０ｂ、１群補助ピン溝２０ｃ、１群ヘリコイド溝２０ｄが１２０度等分にそれぞれ３箇所設けられている。カム筒２０の内周には、２群カム溝２０ｅ、３群カム溝２０ｆ、４群カム溝２０ｇと全体群カムピン２１ａ、全体群補助ピン２１ｂが１２０度等分にそれぞれ３箇所設けられている。また、カム筒２０の内周に全体群耐衝撃ナット２３が全体群補助ピン２１ｂと同じく３つ設けられ、外周から全体群耐衝撃ピン２２がカム筒２０を共締めする形でねじ込まれ、固定されている。また、カム筒２０の外周の１群カム溝２０ｂには、１群カムピン２５が嵌合し、１群補助ピン溝２０ｃには１群補助ピン２６が、１群ヘリコイド溝２０ｄには１群ヘリコイド２４ａが、それぞれ通常のズーム動作中は接触することなく通過するように設けられている。
【００３４】
上記のカム筒２０は、内固定筒１９の外周に回転可能に嵌合している。カム筒２０の外周結像面側端には、前記最終段ギア１２と噛み合うギア部２０ａがあり、ズームモータ６の回転力によって内固定筒１の周りで回転する。この回転によって全体群カムピン２１ａが全体群カム溝１９ａに沿って移動し、カム筒２０が全体群カム溝１９ａのカム軌跡のリフト量分光軸方向に移動する。
【００３５】
図５、図１３および図１４において、１群鏡筒２４の円筒形状の結像面側端部には、前述のリセット板部２４ｂが設けられ、被写体側端部には１群ホルダ当接部２４ｃが１箇所、１群ホルダ保持部２４ｄと１群調節ビス穴２４ｅ、１群バヨネットナット穴２４ｆ、１群鏡筒バヨネットビス嵌合穴２４ｇが１２０度等分にそれぞれ３箇所設けられている。
【００３６】
また、１群レンズホルダ２７の内周には、１群レンズＬ１が保持される。１群ホルダ保持部２４ｄと１群ホルダバヨネット腕部２７ｂがバヨネット結合されることで、１群レンズホルダ２７は１群鏡筒２４に引き込まれる方向に付勢される。１群レンズホルダ２７の外周は１群鏡筒２４の内径と嵌合し、１群レンズホルダ基準面２７ａが１群ホルダ当接部２４ｃに当接し、光軸方向の位置が決まる。１群調整ビス２８は１群鏡筒２４の側面の１群調節ビス穴２４ｅにねじ込まれ、先端のテーパー面２８ａで１群レンズホルダ斜面部２７ｃを光軸方向に押し上げることで１群レンズＬ１の傾きを調整可能にする。１群レンズの傾きを調整した後、１群レンズホルダ２７は１群鏡筒２４に接着固定される。
【００３７】
１群バヨネットナット穴２４ｆには、１群バヨネットナット３３が入れられる。１群鏡筒２４の先端に１群バヨネットリング３１が取り付けられた後、１群鏡筒バヨネットビス嵌合穴２４ｇと１群バヨネットリングビス嵌合穴３１ｂに１群バヨネットビス３２を貫通させて１群バヨネットナット３３にねじ込み、１群バヨネットリング３１を１群鏡筒２４の先端に固定する。
【００３８】
図１、図２、図１３、図１４、図１５、図１７および図２１において、１群バヨネットリング３１の外周には１群アクセサリー取付部３１ａがあり、公知のバヨネット結合によって、フード７１やフィルタアダプタ７２が取り付け可能である。フィルタアダプタ７２にはフィルタ７３がネジ結合で取り付けられる。１群鏡筒２４の内周には、１群カム溝２０ｂに嵌合する１群カムピン２５、１群補助ピン溝２０ｃを通過する１群補助ピン２６が１２０度等分にそれぞれ３箇所固定され、１群コロピン３０を回転中心に１群コロ２９が回転可能に２箇所保持されている。また、１群コロ２９は外固定筒５５の１群直進キー溝５５ａに嵌合し、カム筒２０が内固定筒１９周りに回転すると１群カムピン２５の嵌合するカム筒２０の１群カム溝２０ｂのカム曲線のリフト量に従って、１群鏡筒を光軸周りに回転することなく光軸方向に移動させる。
【００３９】
図２、図５および図１７において、２群鏡筒３４の内周には、２群レンズＬ２が保持される。また、２群鏡筒３４の外周には、内固定筒１９の２，３，４群ピン穴１９ｅを貫通しカム筒２０の内周の２群カム溝２０ｅに嵌合する２群カムピン３５と、衝撃が加わったときに内固定筒１９の２，３，４群ピン抜け止め壁１９ｆに係合する２群ピン抜け止めキー３４ａが１２０度等分にそれぞれ３箇所固定され、２群コロピン３７を回転中心に２群コロ３６が回転可能に２個所保持されている。
【００４０】
２群コロ３６は内固定筒１９の２，３，４群直進溝１９ｄに嵌合し、カム筒２０が内固定筒１９周りに回転すると、２群カムピン３５の嵌合するカム筒２０の２群カム溝２０ｅのカム曲線のリフト量に従って、２群鏡筒を光軸周りに回転することなく光軸方向に移動させる。
【００４１】
図２、図５および図１８において、３群鏡筒３８の内周には３群レンズＬ３が保持され、３群鏡筒３８の被写体側にはＳＨユニット４２とＳＨユニットフレキシブル基板４３が保持される。ＳＨユニット４２はＳＨユニットフレキシブル基板４３の接続される光学フレキシブル基板７を介してメイン基板５に結線され、公知の光量調整機構として機能する。
【００４２】
また、３群鏡筒３８の外周には、内固定筒１９の２，３，４群ピン穴１９ｅを貫通しカム筒２０の内周の３群カム溝２０ｆに嵌合する３群カムピン３９と、衝撃が加わったときに内固定筒１９の２，３，４群ピン抜け止め壁１９ｆに係合する３群ピン抜け止めキー３８ａが１２０度等分にそれぞれ３箇所固定され、３群コロピン４１を回転中心に３群コロ４０が回転可能に２箇所保持されている。
【００４３】
上記の３群コロ４０は内固定筒１９の２，３，４群直進溝１９ｄに嵌合し、カム筒２０が内固定筒１９周りに回転すると、３群カムピン３９の嵌合するカム筒２０の３群カム溝２０ｆのカム曲線のリフト量に従って、３群鏡筒を光軸周りに回転することなく光軸方向に移動させる。
【００４４】
図５、図１９および図２０において、４群鏡筒４４の被写体側には、４群ギア地板７４と４群ギアカバー７５、４群嵌合バー５３、４群駆動モータ４９が固定され、４群ギア地板７４と４群ギアカバー７５によって４群駆動ギア列５０、４群駆動スクリュー５１が回転可能に４群鏡筒４４に対して保持される。４群駆動モータ４９は４群フレキシブル基板５４と電気的に接続され、４群フレキシブル基板５４は光学フレキシブル基板７を介してメイン基板５に結線される。４群駆動モータ４９が回転すると４群駆動ギア列５０に接続される４群駆動スクリュー５１が回転する。
【００４５】
４群レンズホルダ４８の内周には４群レンズＬ４が保持される。４群レンズホルダ４８は４群嵌合バー５３に嵌合する４群嵌合スリーブ部４８ａと不図示の振れ止めによって光軸方向に移動可能に支持される。４群レンズホルダ４８には４群駆動ナット５２取り付けられている。４群駆動スクリュー５１が回転すると４群駆動スクリュー５１のネジに係る４群駆動ナット５２が光軸方向に移動し、４群レンズホルダ４８と４群レンズＬ４が光軸方向に移動する。４群レンズＬ４が光軸方向に移動することでフォーカス動作が可能になる。
【００４６】
また、４群鏡筒４４の外周には、内固定筒１９の２，３，４群ピン穴１９ｅを貫通しカム筒２０の内周の４群カム溝２０ｇに嵌合する４群カムピン４５と、衝撃が加わったときに内固定筒１９の２，３，４群ピン抜け止め壁１９ｆに係合する４群ピン抜け止めキー４４ａが１２０度等分にそれぞれ３箇所固定され、４群コロピン４７を回転中心に４群コロ４６が回転可能に２箇所保持されている。
【００４７】
４群コロ４６は内固定筒１９の２，３，４群直進溝１９ｄに嵌合し、カム筒２０が内固定筒１９周りに回転すると４群カムピン４５が嵌合するカム筒２０の４群カム溝２０ｇのカム曲線のリフト量に従って、４群鏡筒を光軸周りに回転することなく光軸方向に移動させる。
【００４８】
図２、図４、図５、図６、図２１および図２２において、外固定筒５５の被写体側端部には、外固定筒バヨネットナット穴５５ｂと外固定筒バヨネットビス嵌合穴５５ｃが１２０度等分にそれぞれ３箇所設けられ、外固定筒５５の円筒形状外周には外固定筒バヨネットキー溝５５ｄが１箇所設けられている。
【００４９】
図６および図２２にあるように、外固定筒バヨネットキー５９の被写体側端部には、外固定筒バヨネットロック部材６１、本体側端部には外固定筒バヨネットボタン６０が取り付けられる。外固定筒５５には外固定筒バヨネットバネ６２（図２１も参照）が取り付けられ、外固定筒バヨネットキー溝５５ｄに組み込まれる外固定筒バヨネットキー５９を光軸方向被写体側に付勢する。
【００５０】
外固定筒５５には操作リングエンコーダ６４が取付けられ、外固定筒５５の外周で回転する操作環６３の回転方向と回転量を検出する。外固定筒バヨネットナット穴５５ｂには、外固定筒バヨネットナット５７が光軸方向から３箇所と光軸に垂直な方向から５箇所挿入され、外固定筒５５の被写体側端部に外固定筒バヨネットリング５６（図２３も参照）を取り付けた後に外固定筒バヨネットビス嵌合穴５５ｃと外固定筒バヨネットリング取り付けビス穴５６ｂを貫通して外固定筒バヨネットビス５８を外固定筒バヨネットナット５７に締めこみ、外固定筒バヨネットリング５６を固定する。
【００５１】
図５において、外固定筒５５には、１群鏡筒２４から４群鏡筒４４の取り付けられた内固定筒１９を不図示のビスで共締めする形でＣＣＤホルダ３が取り付けられ、鏡筒ユニットを構成する。外固定筒５５のフランジ部には、図４に示すように、カメラ本体取付部５５ｆが設けられ、カメラ本体６９へ鏡筒ユニットが不図示のビスによって取り付けられる。また、カメラ本体６９には、図１に示すようにカメラ外装７０が取り付けられている。カメラ外装７０の鏡筒取付穴７０ａからは鏡筒ユニットが突出し、カメラ外装７０の外固定筒バヨネットボタン穴７０ｂからは外固定筒バヨネットボタン６０が押し下げ可能に表出している。
【００５２】
図２４において、外固定筒バヨネットカバーキャップ６６は外固定筒バヨネットカバー６５に一体的に固定され、バヨネット結合で図２２及び図２３に示す外固定筒バヨネットリング５６の外固定筒アクセサリー取付部５６ａに脱着可能に取り付けられる。バヨネット結合された外固定筒バヨネットカバーキャップ６６は、外固定筒バヨネットキー５９を介して外固定筒バヨネットバネ６２によって光軸方向被写体側に付勢される外固定筒バヨネットロック部材６１が外固定筒バヨネットカバーキー溝６５ａに係合することで回転を規制される。
【００５３】
図６において、コンバータ６７が取り付けられたアダプタ筒６８は、バヨネット結合で外固定筒バヨネットリング５６の外固定筒アクセサリー取付部５６ａ（図２２、図２３参照）に脱着可能に取り付けられる。バヨネット結合されたアダプタ筒６８は、外固定筒バヨネットキー５９を介して外固定筒バヨネットバネ６２によって光軸方向被写体側に付勢される外固定筒バヨネットロック部材６１がアダプタ筒キー溝６８ａに係合することでその回転を規制される。
【００５４】
このように、外固定筒バヨネットロック部材６１がバヨネット結合部の回転を規制することで不用意にバヨネット結合が外れる事故を防ぐことが可能となる。また、バヨネット結合を外す場合は、本体側に取り付けられた外固定筒バヨネットボタン６０を外固定筒バヨネットバネ６２の付勢に抗して光軸方向結像面側に押すことで、外固定筒バヨネットロック部材６１が外固定筒バヨネットカバーキー溝６５ａもしくはアダプタ筒キー溝６８ａから退避して回転可能となり、バヨネット結合を外すことが出来る。
【００５５】
最後に、上記実施の形態における効果を、発明と実施の形態との対応関係を明示しつつ、以下に列挙する。
【００５６】
１）電動駆動の鏡筒とアクセサリーの整合性によってアクセサリーの取付け位置を変えることができる構造にしている、詳しくは、フード７１や、フィルタアダプタ７２、フィルタ７３のように、その重量が軽く、第１の筒部材である１群鏡筒２４および１群バヨネットリング３１の先端に取り付けても電動ズームの動作や光学系の像性能に支障がないアクセサリー（可動側に取り付けられるアクセサリー）については、図１４〜図１６に示すように、電動ズームの動作で動く１群鏡筒２４、１群バヨネットリング３１の先端に取り付け可能な構造にし、アダプタ筒６８を介するコンバータ６７のようにその重量が重いアクセサリー（非可動側に取り付けられるアクセサリー）については、図６に示すように、電動ズームで動かない第２の筒部材である外固定筒バヨネットリング５６に取り付け可能な構造にしているので、電動ズーム鏡筒であっても、携帯性を損なうことなく、光学性能およびズーム動作の保証を満足させることが可能となる。
【００５７】
つまり、重量の軽いフード７１や、フィルタアダプタ７２、フィルタ７３については、電動ズームで動く１群鏡筒２４の先端に取り付け可能であるので、フォーカスやズームで鏡筒の先端位置が移動してもアクセサリーと撮影レンズ先端の間隔は変化せず、特許文献２が有する欠点（ケラレの影響）を無くすことができ、かつ携帯性のよい小型のアクセサリーを取り付け可能なカメラとすることができる。また、これらのアクセサリーは重量が軽いので、その重さでズームやフォーカス等の電動駆動の制御に問題が起きたり、光学系の倒れ、偏芯によって光学性能が劣化するといった虞もない。
【００５８】
一方、重量の重いコンバータ６７については、電動ズームで動かない外固定筒バヨネットリング５６に取り付けるようにしているので、特許文献１が有する欠点、つまりフォーカスやズームで鏡筒の先端位置の移動に伴ってこの種のアクセサリーを移動させるとその重さでズームの制御に問題が起きたり、光学系の倒れ、偏芯によって光学性能が劣化する虞がある、といったことをなくすことが可能となる。
【００５９】
２）第１の筒部材である１群鏡筒２４および１群バヨネットリング３１に設けられる可動側のアクセサリー取付部には、光学系が移動する際にその移動に支障を与えることのないアクセサリーを取り付け可能にし、第２の筒部材である外固定筒バヨネットリング５６に設けられる非可動側のアクセサリー取付部には、光学系が移動する際にその移動に影響を与える虞のあるアクセサリーを取り付け可能にしている。別言すれば、前記可動側のアクセサリー取付部には、光学系が移動しても光学性能に影響を与えることのないアクセサリーを取り付け可能にし、前記非可動側のアクセサリー取付部には、光学系が移動すると光学性能に影響を与える虞のあるアクセサリーを取り付け可能にしている。よって、光学系の移動に影響を与えたり、光学性能に影響を与えることが無くなる。
【００６０】
３）可動側のアクセサリーへのフード７１の取り付けは、該フード７１の取り付け時の回転位相の決まるバヨネット結合により取り付ける構造（１群バヨネットリング３１を用いた構造）にしているので、フード７１と鏡筒の取り付けが所定の位相でないと有効光束をカットしてしまうようなフードを、電動ズーム鏡筒の先端に取付けることが可能となる。換言すれば、電動ズームで動く１群鏡筒２４の先端へのアクセサリーの取り付け位相は所定の位相に決定されるので、その位相を考慮して、より撮影光学系の有効光束に近い有害光をカットできる図１や図１５に示す花形のフードの開発も可能となり、より光学性能の向上につながる。
【００６１】
４）アクセサリー取付部は、取り付けるアクセサリーの撮影光軸周りの回転位相規制を行う取り付け方法であることから、取り付ける位相の限定されるアクセサリーを容易に取付けることが可能となる。
【００６２】
５）可動側のアクセサリー取付部に、バヨネット結合で取付ける位相の限定されるアクセサリーを取り付け可能とすることで、アクセサリーの取り付けが容易になる。
【００６３】
６）可動側のアクセサリー取付部のバヨネット結合部を、第１の筒部材の外周側に設けているので、アクセサリー取付部によって撮影光路を遮りにくくなる。
【００６４】
７）可動側のアクセサリー取付部にフィルタを取り付け可能とすることで、例えばワイドでは鏡筒の全長が短く、テレで全長が長くなるズームレンズ鏡筒にフィルタを付けた場合でも、テレ状態の鏡筒にフィルタがぶつかることがない。よって、ワイドの画角にケラレを生じないフィルタを、小さい径で実現することが出来る。
【００６５】
【発明の効果】
以上説明したように、本発明によれば、アクセサリーの携帯性と光学性能およびズーム動作の保証を満足させることができるカメラを提供できるものである。
【図面の簡単な説明】
【図１】本発明の実施の一形態に係るカメラと該カメラに取り付け可能なアクセサリーを示すの外観斜視図である。
【図２】本発明の実施の一形態においてコンバータが取り付けたワイド状態の鏡筒を前方左下から見た分解斜視図である。
【図３】本発明の実施の一形態においてワイド状態の鏡筒を前方左下から見た斜視図である。
【図４】本発明の実施の一形態においてワイド状態の鏡筒を後方左下から見た斜視図である。
【図５】本発明の実施の一形態においてワイド状態の鏡筒の中央縦断面図である。
【図６】本発明の実施の一形態においてコンバータに取り付けられたワイド状態の鏡筒の中央縦断面図である。
【図７】本発明の実施の一形態においてＣＣＤホルダとズーム駆動機構を前方左下から見た分解斜視図である。
【図８】本発明の実施の一形態においてＣＣＤホルダとズーム駆動機構を前方左上から見た斜視図である。
【図９】本発明の実施の一形態において内固定筒を前方左下から見た斜視図である。
【図１０】本発明の実施の一形態において内固定筒を後方左から見た斜視図である。
【図１１】本発明の実施の一形態においてカム筒を前方左下から見た斜視図である。
【図１２】本発明の実施の一形態においてカム筒と全体群カムピン、全体群補助ピン、全体群耐衝撃ピンの組み込み状態の断面図である。
【図１３】本発明の実施の一形態において１群鏡筒と１群レンズホルダ、１群レンズ、１群バヨネットリングを前方左下から見た分解斜視図である。
【図１４】本発明の実施の一形態において１群鏡筒と１群レンズホルダ、１群レンズ、１群バヨネットリング、１群調整ビスの組み込み状態の断面図である。
【図１５】本発明の実施の一形態において１群鏡筒と１群バヨネットリングに、フードを取付けた状態の断面図である。
【図１６】本発明の実施の一形態において１群鏡筒と１群バヨネットリングに、フィルタとフィルタアダプタを取り付けた状態を示す断面図である。
【図１７】本発明の実施の一形態において２群鏡筒を前方左下から見た分解斜視図である。
【図１８】本発明の実施の一形態において３群鏡筒とＳＨユニットを前方左下から見た分解斜視図である。
【図１９】本発明の実施の一形態において４群鏡筒を前方左下から見た分解斜視図である。
【図２０】本発明の実施の一形態において４群鏡筒を前方左下から見たより詳しい分解斜視図である。
【図２１】本発明の実施の一形態において外固定筒と外固定筒バヨネットナット、外固定筒バヨネットビスを前方左下から見た分解斜視図である。
【図２２】本発明の実施の一形態において外固定筒バヨネットキーと外固定筒バヨネットボタン、外固定筒バヨネットロック部材、外固定筒バヨネットリング、操作環を前方左下から見た分解斜視図である。
【図２３】図２２に示す外固定筒バヨネットリングの拡大斜視図である。
【図２４】本発明の実施の一形態において外固定筒バヨネットカバーと外固定筒バヨネットカバーキャップを前方左下から見た斜視図である。
【図２５】本発明の実施の一形態においてコンバータとアダプタ筒を後方左から見た斜視図である。
【符号の説明】
Ｌ１    １群レンズ
Ｌ２    ２群レンズ
Ｌ３    ３群レンズ
Ｌ４    ４群レンズ
Ｌ５    ローパスフィルタ
１      ＣＣＤ
１９    内固定筒
２０    カム筒
２４    １群鏡筒
２７    １群レンズホルダ
３１    １群バヨネットリング
３８    ３群鏡筒
４４    ４群鏡筒
４８    ４群レンズホルダ
５５    外固定筒
５６    外固定筒バヨネットリング
５９    外固定筒バヨネットキー
６０    外固定筒バヨネットボタン
６１    外固定筒バヨネットロック部材
６２    外固定筒バヨネットバネ
６３    操作環
６４    操作環エンコーダ
６５    外固定筒バヨネットカバー
６５ａ  外固定筒バヨネットカバーキー溝
６７    コンバータ
６８    アダプタ筒
６８ａ  アダプタ筒キー溝
６９    カメラ本体
７０    カメラ外装
７１    フード
７２    フィルタ、
７３    フィルタアダプタ
【図１】
2005017981.tif 000003
【図２】
2005017981.tif 000004
【図３】
2005017981.tif 000005
【図４】
2005017981.tif 000006
【図５】
2005017981.tif 000007
【図６】
2005017981.tif 000008
【図７】
2005017981.tif 000009
【図８】
2005017981.tif 000010
【図９】
2005017981.tif 000011
【図１０】
2005017981.tif 000012
【図１１】
2005017981.tif 000013
【図１２】
2005017981.tif 000014
【図１３】
2005017981.tif 000015
【図１４】
2005017981.tif 000016
【図１５】
2005017981.tif 000017
【図１６】
2005017981.tif 000018
【図１７】
2005017981.tif 000019
【図１８】
2005017981.tif 000020
【図１９】
2005017981.tif 000021
【図２０】
2005017981.tif 000022
【図２１】
2005017981.tif 000023
【図２２】
2005017981.tif 000024
【図２３】
2005017981.tif 000025
【図２４】
2005017981.tif 000026
【図２５】
2005017981.tif 000027